(57)【要約】　　　（修正有）【課題】１連から多連の装飾用ネックレスチェーン上を摺動、係止させることが可能であり、且つ、容易に脱着して任意の場所にも係止させ、輪体の大きさを変えることが可能な二通りの機能を持ち合わせた構造の装飾金具を提供することにある。【解決手段】装飾金具は上板部１と下板部２０からなり、上板部内面には挟み込み面となっている上板部の一辺に下板部の一辺を蝶番受け部６に組み込むことで上板部を起伏自在に取り付け、上板部と下板部のもう一辺には互いに嵌合する突起板５，２２を設け、そして、上板部、下板部の内面には長手方向に芯棒８，１０を有するシリコンチューブ７ａ，７ｂを配設してチェーン４０上を摺動、係止、且つ、脱着自在の機能を持ち合わせたことを特徴としている。【選択図】　　図７
0003098584.tif 000002
【実用新案登録請求の範囲】
【請求項１】
装飾用ネックレスチェーン上を自由に摺動、且つ、途中で係止できることにより、ネックレスの輪径を容易に変える機能を持ち合わせた装飾金具に於いて、装飾金具は上板部１と下板部２０からなり、上板部１は装飾面となる外面２と内面３に設けた蝶番受け部６と突起板５で形成し、内面３に芯棒８の先端を保持する保持溝９と起伏自在の機能を持たせるための蝶番受け部６に蝶番孔６ａと背面にチェーン４０の一辺を接続するための孔４を設け、芯棒８を有するシリコンチューブ７ａを組み込み上板部１を構成、下板部２０は外面２５と内面２１に設けた突起板２２と対向する蝶番板２３で形成し、蝶番板２３に孔６ｂと芯棒１０の先端を保持する保持孔２４を設け、芯棒１０を有するシリコンチュー７ｂを配設して下板部２０を構成、そして、上板部１の蝶番受け部６に下板部２０の蝶番板２３を組み入れ、ピン３０を用いて孔６ａより挿入することで上板部１が起伏自在になり、上板部１と下板部２０の間にチェーン４０を入れて突起板５と突起板２２を嵌合させ装飾金具を摺動させることにより、芯棒８と１０を軸として、シリコンチューブ７ａ、７ｂの回転と弾性によってスムーズに摺動し移変ができることを特徴とした装飾金具。
【請求項２】
装飾金具の上板部１は起伏自在に動くために、脱着自在にて係止したい任意の場所に上板部１の突起板５と下板部２０の突起板２２を嵌合させることより装飾金具の移動、係止も可能としたことを特徴とした請求項１記載の装飾金具。
【請求項３】
上板部１に１連から多連のチェーン４０の一辺を接続するための孔４を設けたことを特徴とする請求項１、２記載の装飾金具。
【考案の詳細な説明】
【０００１】
【考案の属する技術分野】
本考案は、首下前部から胸部に係止できる貴金属製ヘッド部（装飾金具）を位置させ、装飾用ネックレスチェーンの輪体の大きさを自由に調整できる装飾金具に関するものである。
【０００２】
【従来の技術】
丸玉等の中空体内にシリコンゴム等の弾性体を配設し、装飾用ネックレスチェーン上を摺動させ、途中で係止して輪体の大きさを変える機能を主とした装飾金具が多くデザイン的にも単調であった。
【０００３】また、実用登録第３０７６８８１号のように装飾金具に起伏自在に設けられたレバーの開閉にてヘッド部を移動、係止させる機能のみのものがある。
【０００４】
【考案が解決しようとする課題】
前記従来の装飾金具は単一の機能のみであるために用途が限られ、それらをより向上させる目的として、１連から多連のチェーン上を摺動させて係止させることが可能であり、且つ、容易に脱着自在にて任意の場所にも係止させ、輪体のおおきさを変えることが可能な二通りの機能を持ち合わせた構造の装飾金具を提供することにある。
【０００５】
【課題を解決するための手段】
本考案は前記目的を達成するため、装飾金具は上板部と下板部からなり、上板部、下板部の内面には芯棒を有するシリコンチューブを配設し、挟み込み面となっている上板部の内面の一辺に下板部の一辺を蝶番受け部に組み合わせて上板部を起伏自在に取り付け、上板部と下板部双方の内面のもう一辺には前記板部が互いに嵌合する突起板を設けて装飾金具を構成していることを特徴としている。
【０００６】
【考案の実施の形態】
以下、図面について本考案の実地形態を説明する。
【０００７】
【実施例】
図１は本考案の装飾金具に用いた一実施形態を示す部品の正面図であり、（Ａ）はヘッド部の上板１ａを示し、装飾面となる外面２と内面３に設けた蝶番受け部６と突起板５で形成し、蝶番受け部６の背面にチェーン４０の一辺を接続するための孔４と、内面３に芯棒８の先端を保持する保持溝９と起伏自在の機能を持たせるための蝶番受け部６に蝶番孔６ａを設けた。
【０００８】（Ｂ）は上板１ａに配設するシリコンチューブ７ａを示し、（Ｃ）は前記７ａを上板１ａの内面３に配設し回転させる為の芯棒８を示し、（Ｄ）は下板２０ａの内面２１にシリコンチューブ７ｂを配設し回転させる為の芯棒１０を示し、（Ｅ）は下板２０ａの内面２１に配設し回転させるシリコンチューブ７ｂを示す。
【０００９】（Ｆ）は装身金具の下板２０ａを示し、内面２１と外面２５と突起板２２と、対向する蝶番板２３で形成され、前記には孔６ｄを設け、突起板２２には芯棒１０を保持するための保持孔２４を設けた。
【００１０】（Ｇ）は上板部１の蝶番受け部６の孔６ａより挿入して上板部１を起伏自在に取り付ける為のピン３０を示す。
【００１１】図２では、蝶番受け部６にシリコンチューブ７ａを挿入した芯棒８を入れ、芯棒８の先端を保持溝９に組み込んで上板部１を構成した。
【００１２】図４では、対向する蝶番板２３にシリコンチューブ７ｂを挿入した芯棒１０を入れ、芯棒１０の先端を保持孔２４に組み込んで下板部２０を構成した。
【００１３】図６では、図２で構成した上板部１と、図４で構成した下板部２０を上板部１の蝶番受け部６に下板部２０の蝶番板２３を組み込み、孔６ａにピン３０を挿入することで上板部１に起伏自在の動きが得られる。そして、最後にレーザー溶接機にて保持溝９の芯棒８と、保持孔２４の芯棒１０と、蝶番受け部６の孔６ａに挿入したピン３０の両側の４ヶ所を溶接することで脱着自在の本考案の装飾金具が完成する。
【００１４】図７では、完成した装飾金具の孔４にチェーン４０の一辺をロウ付けにて接続し、上板部１と下板部２０の内面３、２１に配設してあるシリコンチューブ７ａ、７ｂの間にチェーン４０を入れ、突起板５，２２で嵌合することでチェーン４０が輪体を形成、シリコンチューブ７ａ、７ｂの回転と弾性によって摺動、係止させることでチェーン４０の輪径を変えることができる。
【００１５】図９は、上板部外面２の装飾面を８角形にデザインして３連の装飾用チェーン４０に使用した装飾金具の一実施形態例を示す全体図であり、装飾用チェーン４０の一辺を孔４に挿入しロウ付けにて接続、そして、もう一辺には抜け防止を兼ねた飾りパーツ５０を接続、上板部１と下板部２０の内面３、２１に配設したシリコンチューブ７ａ、７ｂの間にチェーン４０を入れて突起板５，２２で嵌合することで輪体が形成され、シリコンチューブ７ａ、７ｂの回転と弾性によって摺動、係止及び、上板部１を起こし開き、脱着自在にて二通りの機能にて輪径の大きさを自在に変えることができる。
【００１６】
【発明の効果】
以上説明したように本考案の装飾金具は、上板部の装飾面にデザイン性が有り、輪径を変える二つの機能を持ち合わせたことで、用途が広がり、使用性及び趣味性が従来の商品より格段と向上し、また、低コストでの提供が可能となった。
【図面の簡単な説明】
【図１】本考案の装飾金具に使用の一実形態を示す部品の正面図である。
【図２】上板部に芯棒とシリコンチューブを組み込んだ一実施形態を示す正面図である。
【図３】図２の底面図である。
【図４】下板部に芯棒とシリコンチューブを組み込んだ一実施形態を示す正面図である。
【図５】図４の平面図である。
【図６】上板部と下板部を起伏自在に組み込んだ状態の一実施形態を示す正面図である。
【図７】上板部と下板部のシリコンチューブの間にチェーンを挟み込んだ状態の一実施形態を示す正面図である。
【図８】本考案の装飾金具をネックレスの装飾用チェーン４０に使用した一実施形態例を示す全体図である。
【図９】従来の装飾金具の要部を拡大した切欠断面図である。
【符号の説明】
１　　上板部
１ａ　上板
２　　外面
３　　内面
４　　孔
５　　突起板
６　　蝶番受け部
６ａ　孔（蝶番用）
６ｂ　孔（蝶番用）
６ｃ　孔（蝶番用）
６ｄ　孔（蝶番用）
７ａ　シリコンチューブ
７ｂ　シリコンチューブ
８　　芯棒（上板部用）
９　　保持溝
１０　芯棒（下板部用）
２０　下板部
２０ａ下板
２１　内面
２２　突起板
２３　蝶番板
２４　保持孔
２５　外面
３０　ピン（蝶番用）
４０　チェーン
５０　飾りパーツ
６０　中空体の金具
６１　シリコンゴム等の弾性体
６２ａ　貫通孔
６２ｂ貫通孔
６３　チェーン
６４　環
７０　装飾金具
【図１】
0003098584.tif 000003
【図２】
0003098584.tif 000004
【図３】
0003098584.tif 000005
【図４】
0003098584.tif 000006
【図５】
0003098584.tif 000007
【図６】
0003098584.tif 000008
【図７】
0003098584.tif 000009
【図８】
0003098584.tif 000010
【図９】
0003098584.tif 000011